(57)【要約】【課題】デジタル放送システムが使用する周波数帯域の一部が他のシステムに使用される場合、他のシステムに使用される信号は放送用受信機にとっては妨害信号となり、使用される周波数が従来の放送システムが使用している周波数のため、受信性能に影響が生じる。【解決手段】放送システムが使用する全周波数チャネルを通過させる第一のフィルタの他に、放送以外の用途に使用される可能性のある周波数チャネルを抑圧する機能を有する第二のフィルタを設け、全周波数チャネルが放送用途に使用されている期間は、第二のフィルタの機能は無効化する構成とし、全周波数チャネルの一部のチャネルが放送以外の用途に使用されると第二のフィルタの機能を有効化させる構成とする。【選択図】図１
2007336319.tif 000002
【特許請求の範囲】
【請求項１】
高周波信号入力端子と、高周波信号入力端子に入力される高周波信号を受けて受信処理と復調処理と誤り訂正処理を行なうチューナ回路と、該チューナ回路が出力するデジタルデータを受けてデジタル圧縮されたデータのデジタル伸長処理を施す信号処理回路と、映像音声信号処理回路と、中央演算処理回路とを少なくとも具備したデジタル放送用受信装置において、
デジタル放送システムが使用する周波数帯域を通過させる第一のフィルタ回路をチューナ回路の前段に備え、該第一のフィルタ回路の通過帯域をさらに制限する機能を有する第二のフィルタ回路を該第一のフィルタ回路の後段かつチューナ回路の前段に備え、
該第二のフィルタ回路は該機能の有効化／無効化の設定を選択可能な構成を有し、該第二のフィルタ回路の該機能の有効化／無効化の切替えは該中央演算処理回路によって制御されることを特徴とするデジタル放送用受信装置。
【請求項２】
高周波信号入力端子と、高周波信号入力端子に入力される高周波信号を受けて受信処理と復調処理と誤り訂正処理を行なうチューナ回路と、該チューナ回路が出力するデジタルデータを受けてデジタル圧縮されたデータのデジタル伸長処理を施す信号処理回路と、映像音声信号処理回路と、中央演算処理回路とを少なくとも具備したデジタル放送用受信装置において、
デジタル放送システムが使用する周波数帯域を通過させる第一のフィルタ回路をチューナ回路の前段に備え、該第一のフィルタ回路の通過帯域をさらに制限する機能を有する第二のフィルタ回路を該第一のフィルタ回路の後段かつチューナ回路の前段に備え、該第二の切替え回路の前段に第一の切替え回路を、後段に第二の切替え回路を備え、
該第一及び第二の切替え回路は第一の状態と第二の状態を有し、
該第一及び第二の切替え回路の設定により、該第一及び第二の切替え回路が第一の状態の場合は該第一のフィルタ回路が出力する信号は該第二のフィルタ回路を介さずに該チューナ回路に入力され、該第一及び第二の切替え回路が第二の状態の場合は該第一のフィルタ回路が出力する信号は該第二のフィルタ回路を介して該チューナ回路に入力されることにより、該第二のフィルタ回路の該機能の有効化／無効化の設定を選択可能な構成を有し、
該第二のフィルタ回路の該機能の有効化／無効化の設定は、該第一及び第二の切替え回路を介して間接的に中央演算処理回路によって制御されることを特徴とするデジタル放送用受信装置。
【請求項３】
高周波信号入力端子と、高周波信号入力端子に入力される高周波信号を受けて受信処理と復調処理と誤り訂正処理を行なうチューナ回路と、該チューナ回路が出力するデジタルデータを受けてデジタル圧縮されたデータのデジタル伸長処理を施す信号処理回路と、映像音声信号処理回路と、中央演算処理回路とを少なくとも具備したデジタル放送用受信装置において、
デジタル放送システムが使用する周波数帯域を通過させる第一のフィルタ回路をチューナ回路の前段に備え、該第一のフィルタ回路の通過帯域をさらに制限する機能を有する第二のフィルタ回路を該第一のフィルタ回路の後段かつチューナ回路の前段に備え、該第二の切替え回路の前段に第一の切替え回路を、後段に第二の切替え回路を備え、
該第一及び第二の切替え回路は第一の状態と第二の状態を有し、
該第一及び第二の切替え回路の設定により、該第一及び第二の切替え回路が第一の状態の場合は該第一のフィルタ回路が出力する信号は該第二のフィルタ回路を介さずに該チューナ回路に入力され、該第一及び第二の切替え回路が第二の状態の場合は該第一のフィルタ回路が出力する信号は該第二のフィルタ回路を介して該チューナ回路に入力されることにより、該第二のフィルタ回路の該機能の有効化／無効化の設定を選択可能な構成を有し、
該チューナ回路は該中央演算処理回路により制御され、該チューナ回路は該第一及び第二の切替え回路の設定を行なう制御信号を出力する機能を備え、
該第二のフィルタ回路の該機能の有効化／無効化の設定は、該チューナ回路と該第一及び第二の切替え回路を介して間接的に中央演算処理回路によって制御されることを特徴とするデジタル放送用受信装置。
【請求項４】
請求項１乃至請求項３のいずれかに記載のデジタル放送用受信装置において、
前記第一のフィルタ回路と、前記第ニのフィルタ回路と、前記チューナ回路とをチューナモジュールとして同一基板上に一体化したことを特徴とするデジタル放送用受信装置。
【請求項５】
高周波信号入力端子と、高周波信号入力端子に入力される高周波信号を受けて受信処理と復調処理と誤り訂正処理を行なうチューナ回路と、該チューナ回路が出力するデジタルデータを受けてデジタル圧縮されたデータのデジタル伸長処理を施す信号処理回路と、映像音声信号処理回路と、中央演算処理回路とを少なくとも具備したデジタル放送用受信装置用のチューナモジュールにおいて、
デジタル放送システムが使用する周波数帯域を通過させる第一のフィルタ回路と、該第一のフィルタ回路の通過帯域をさらに制限する機能を有する第二のフィルタ回路と、該チューナ回路とを、同一基板上に一体化したことを特徴とするチューナモジュール。
【発明の詳細な説明】
【技術分野】
【０００１】
本発明は地上デジタル放送などのデジタル放送を受信する装置に関し、特にチューナ部分における受信特性の好適化を図ったデジタル放送用受信装置及びチューナモジュールに関する。
【背景技術】
【０００２】
国内における地上デジタル放送は２００３年に開始され、現在は放送エリアを拡大しつつ視聴者数を伸ばしている状況にある。地上デジタル放送はデジタル変調方式にＯＦＤＭ（Orthogonal  Frequency  Division  Multiplex）変調方式を採用しており、移動体受信に優れた放送システムであることと、チャネル帯域の一部分のみを用いて伝送される１セグメント放送と呼ばれる移動体向け放送も２００６年４月にサービスを開始し、家庭用テレビジョン受信装置だけではなく、車載用途、携帯電話用途などの移動体受信装置の市場が期待されている。
【０００３】
デジタル放送ではエンジニアリングスロットと呼ばれるソフトウェアダインロード用スロットが運用されており、デジタル放送用受信装置のソフトウェアを変更する必要があった場合でも、このエンジニアリングスロットを用いてデジタル放送用受信装置のソフトウェアを修正あるいは更新することが可能である。
【０００４】
デジタル放送では周波数分割された放送チャネルが使用されており、所望受信チャネル周波数以外の周波数チャネルは所望受信チャネルを受信する場合の妨害信号となるため、受信装置の初段にフィルタ回路を設けることにより、受信を所望しない周波数チャネルを抑圧して好適な受信特性を得ることができる。
【０００５】
例えば、このフィルタとして適当なカットオフ周波数を有するローパスフィルタ（ＬＰＦ：Low  Pass  Filter）を用いることにより、カットオフ周波数より高い周波数信号を効果的に抑圧することができる。このフィルタ配置をさらに工夫した例が特許文献１に記載されている。
【特許文献１】特開２００１−４５３９４号公報
【発明の開示】
【発明が解決しようとする課題】
【０００６】
地上デジタル放送はＵＨＦ帯の周波数を用いてサービスが行なわれている。具体的には中心周波数が４７３＋１／７ＭＨｚのＵＨＦ１３チャネルから、中心周波数が７６７＋１／７ＭＨｚのＵＨＦ６２チャネルまで、１チャネルごとの周波数帯域幅が６ＭＨｚであり、全５０チャネルの周波数チャネルがある。各地域ごとに様々な周波数チャネルを用いてサービスが行なわれている。例えば東京地区では２００６年３月時点ではＵＨＦ２０チャネルからＵＨＦ２７チャネルが使用されている。
【０００７】
現在は５０チャネルすべてが放送用途として使用されているが、将来的には周波数の高い側の周波数チャネルが、例えば通信用途などの放送以外の用途に使用されることが検討されている。実際に放送以外の用途に使用された場合、これらの放送以外の信号は所望受信チャネルを受信する際の妨害波であるが、使用される周波数は本来放送用途の周波数であるため受信装置が高感度に受信してしまい、放送用受信装置の受信特性に多大な影響を与えることが考えられる。
【０００８】
特に移動体受信装置の場合は、受信装置の使用者が移動しながら放送の受信を行なうため、遠方の放送局からの受信をしつつ妨害信号の強度が強い領域に入り込むことが想定され、このとき放送信号の受信特性が激しく劣化することが考えられる。
【課題を解決するための手段】
【０００９】
５０チャネル分の周波数チャネルを通過させる第一のフィルタの他に、放送以外の用途に使用される周波数を抑圧する第二のフィルタを設ける。ＵＨＦ帯の５０チャネルが放送用途に使用されている期間は、第二のフィルタは常に使用しない構成とし、ＵＨＦ帯の周波数高い側のチャネルが放送用途以外に使用されると第二のフィルタを機能させる構成とする。この第二のフィルタを有効化／無効化する設定はデジタル放送用受信装置の内部に設けられるデジタル放送受信装置内ソフトウェアに従って動作するＣＰＵ（中央演算装置）などから制御される構成とする。
【発明の効果】
【００１０】
ＵＨＦ帯５０チャネルの周波数のうち、周波数が高い側のチャネルが放送用途以外に使用された場合、これらの信号は本来は放送用途の周波数のため、第一のフィルタでは抑圧されること無く受信されるが、第二のフィルタを使用することで、放送用途以外に使用される周波数の信号を効果的に抑圧することが可能となる。
【００１１】
ＵＨＦ帯の５０チャネルが放送用途に使用されている期間は、第二のフィルタは常に使用しない構成としておくことで、ＵＨＦ帯５０チャネルの周波数のうち、周波数が高い側のチャネルが放送用途以外に使用されるまでは、すべての放送用チャネルを好適に受信することが可能である。
【００１２】
第二のフィルタの機能を使用するかしないかはデジタル放送用受信装置内のソフトウェアによって動作するＣＰＵによって設定されるため、ＵＨＦ帯５０チャネルの周波数のうち、周波数が高い側のチャネルが放送用途以外に使用される時期に合わせて、デジタル放送システムのエンジニアリングスロットを用いてデジタル放送用受信装置内のソフトウェアを更新することで効果的に第二のフィルタを機能させることが可能である。
【発明を実施するための最良の形態】
【００１３】
ＵＨＦ帯５０チャネルの周波数のうち周波数が高い側のチャネルが放送用途以外に使用された場合に、これらの放送用途以外の周波数を効果的に抑圧する第二のフィルタを備え、ＣＰＵにより第二のフィルタを機能させる構成とした。
【００１４】
以下、本発明の実施の形態について、図面を用いて説明する。
【実施例１】
【００１５】
図１は本発明の実施例１のデジタル放送用受信装置のブロック図である。１は高周波信号入力端子、２は第一のフィルタ回路、３は第二のフィルタ回路、４はチューナ回路、５は信号処理回路、６は映像音声処理回路、７は中央演算回路、８はデジタル放送用受信装置である。
【００１６】
以下、図１に示した実施例１の動作について説明する。放送局から送信される放送信号は図示しないアンテナで受信され、高周波信号入力端子１における信号周波数は、例えば地上デジタル放送システムが使用するＵＨＦ帯では４７０ＭＨｚから７７０ＭＨｚである。アンテナで受信された高周波信号は高周波信号入力端子１を介してデジタル放送用受信装置８に入力される。放送システム以外の信号がチューナ回路４に入力された場合、チューナ回路４内部において信号歪などが発生する可能性があるため、入力された高周波信号は第一のフィルタ回路２において不要な周波数成分が抑圧されて、第二のフィルタ回路３に供給される。
【００１７】
第二のフィルタ回路の動作については後述する。第二のフィルタ回路３から出力された受信信号はチューナ回路４に入力される。チューナ回路４は図示しない選局回路とデジタル復調回路と誤り訂正回路などから構成されている。デジタル復調回路の入力信号周波数はあらかじめ定められており、選局回路ではチューナ回路４に入力される複数のチャネル周波数の中からユーザが視聴を所望する周波数チャネルのみをデジタル復調回路の入力動作に適した周波数に変換する選局動作を行なう。
【００１８】
デジタル復調回路では、選局回路により所定の周波数に変換された受信所望周波数チャネル信号のデジタル復調を行ない、誤り回路に供給する。デジタル放送に使用される信号には誤り訂正処理が施されており、デジタル放送用受信装置８に入力される放送信号において、受信電力が弱い、強い電力の妨害波が存在している、などの要因によりデジタル復調処理結果に誤りが含まれている場合においても、誤り訂正回路においてデジタル復調された信号に対して誤り訂正符号による誤り訂正処理を施し、誤りを軽減することができ、ユーザはノイズの少ない映像音声を視聴することができる。誤り訂正回路における誤り訂正処理を施された信号はトランスポートストリーム（ＴＳ）信号と呼ばれるデジタルデータとしてチューナ回路４から出力される。
【００１９】
ＴＳ信号は信号処理回路５においてデジタル圧縮された映像信号と音声信号に対する伸長処理が行なわれ、さらに映像信号と音声信号は映像音声処理回路６を介して図示しないモニタやスピーカなどから出力される。
【００２０】
チューナ回路４における選局動作、デジタル復調動作、誤り訂正動作はデジタル放送用受信装置８に設けられるＣＰＵ７と制御バスで接続されており、電源投入後の初期化設定、動作状態の安定化などの制御を受けている。ユーザが視聴する番組を変更する場合、ユーザがリモコンなどによりデジタル放送用受信装置８に対して入力した信号はＣＰＵ７に入力される。ＣＰＵ７はこの信号を受けて、選局回路の動作を制御する。
【００２１】
例えば、ユーザがａチャネルの視聴を所望した場合、ＣＰＵ７はａチャネルのチャネル周波数をデジタル復調回路の所定の入力周波数に周波数変換するための選局回路制御信号を生成し、この選局回路制御信号によって選局回路が動作し、ａチャネルのチャネル周波数がデジタル復調回路の所定入力周波数に周波数変換され、デジタル復調回路はａチャネルのチャネル周波数をデジタル復調することが可能となる。
【００２２】
ユーザが別のｂチャネルの視聴を所望した場合、同様にｂチャネルのチャネル周波数をデジタル復調回路の所定入力周波数に周波数変換するための選局回路制御信号がＣＰＵ７で生成され、この選局回路制御信号をによって選局回路がｂチャネルのチャネル周波数をデジタル復調回路の所定入力周波数に周波数変換し、デジタル復調回路はｂチャネルのチャネル周波数をデジタル復調することが可能となる。このとき、ａチャネルのチャネル周波数はデジタル復調回路の所定入力周波数とは異なる周波数に周波数変換されていることになるため、ａチャネルのチャネル周波数がデジタル復調されてしまうことはない。
【００２３】
次に、第二のフィルタ回路３の動作について説明する。第二のフィルタ回路３はその機能の有効／無効状態がＣＰＵ７によって制御されるフィルタ回路である。第一のフィルタ回路２において不要な周波数成分は抑圧されるため、第二のフィルタ回路３は通常であれば必要は無い。したがって、通常は第二のフィルタ回路３はフィルタリング機能は機能しない状態となるようＣＰＵ７から制御されている。
【００２４】
しかし、デジタル放送システムで使用される周波数チャネルのすべてがいつまでも使用できる保証は無く、通信用途などの放送以外の用途に使用される可能性がある。
【００２５】
図４に示す周波数チャネル配置図を用いて説明する。図４（１）に示すようにデジタル放送システムがａチャネルからｉチャネルまでの周波数チャネルを使用していた場合、第一のフィルタ回路２の通過特性は全チャネルを通過させ、ｉチャネルより高い周波数成分は抑圧するように構築されている。例えば、地上デジタル放送が使用する最も高い周波数チャネルは７６０ＭＨｚまであるが、携帯電話の一部の信号が８００ＭＨｚ帯域に存在するため、この携帯電話の信号がチューナ回路４に入力されないよう、第一のフィルタ回路２でこれを抑圧している。
【００２６】
なお、図４では第一のフィルタ２の通過特性を低域通過フィルタ（ＬＰＦ）のように記載しているが、周波数の低い側についても妨害信号が存在する場合は第一のフィルタ回路２の通過特性をバンドパスフィルタとして構築しても問題はない。例えば、ＵＨＦ帯のみを使用する地上デジタル放送受信システムに対してアナログ放送などのＶＨＦ帯の周波数を抑圧する必要がある場合は第一のフィルタ回路２はバンドパスフィルタとして構築する必要がある。
【００２７】
ここで説明したように、第一のフィルタ回路２は妨害信号を抑圧し、デジタル放送が使用する周波数チャネルを通過させ、デジタル放送受信装置８の好適な受信性能を実現している。このとき、第二のフィルタ回路３は無効状態に設定されており、特定の周波数の信号を抑圧することは無い。
【００２８】
図４（２）はｇチャネルからｉチャネルが放送用途として使用されなくなった状態を示している。このときデジタル放送はａチャネルからｆチャネルが使用されている。放送には使用されなくなったｇチャネルから上の周波数に関して、他の用途に使用されて無い場合は妨害信号の抑圧は第一のフィルタのみで行なっても受信動作には問題はない。
【００２９】
図４（３）はｇチャネルから上の周波数帯域に放送用途以外の信号がｋチャネルからｐチャネルとして配置された状態を示している。第一のフィルタ回路２はこれらの信号も通過させてしまうため、チューナ回路４にはこれらの信号も到達し、受信性能の劣化を生じさせる可能性がある。また本発明になるデジタル放送用受信機を移動体受信機に適用した場合、ユーザの使用する位置によってはホウ素信号であるａチャネルからｆチャネルが小さく、妨害信号となるｋチャネルからｐチャネルがより強い状態で入力される可能性もあり、このときは受信性能がさらに劣化する可能性がある。
【００３０】
図４（３）に第二のフィルタ回路３の通過特性を示している。第二のフィルタ回路３が無効状態の場合はｋチャネルからｐチャネルの妨害信号が抑圧されずにチューナ回路４まで到達してしまうが、第二のフィルタ回路３が有効状態の場合はｆチャネルから上の周波数帯は抑圧されるため、放送信号のみをチューナ回路４に供給することができる。
【００３１】
このように従来は放送用途に使用されてきた周波数帯域の一部が放送用途以外に使用されることになった場合、その非放送電波の周波数は本来は放送システムが使用していた周波数であるがために第一のフィルタ回路２では抑圧することができず、受信性能に大きな障害を与える妨害信号となる可能性がある。このため、第二のフィルタ回路３の機能が有効となった場合の通過帯域は、非放送用途に使用される可能性のある周波数を効果的に抑圧できるよう第一のフィルタ回路２よりも狭く設定されており、従来放送用途に使用されていた周波数帯域の一部が放送用途以外に使用されることになった際に第二のフィルタ回路３の機能がＣＰＵ７の制御を受けて有効設定され、効果的に妨害信号を抑圧しデジタル放送用受信装置８としての受信性能を好適に維持することができる。
【００３２】
なお、ＣＰＵによる第二のフィルタ回路３の制御動作は内部ソフトウェアによって機能している。デジタル放送システムではエンジニアリングスロットと呼ばれるソフトウェアダインロード用スロットが運用されており、デジタル放送用受信装置のソフトウェアを変更する必要があった場合でも、このエンジニアリングスロットを用いてデジタル放送用受信装置のソフトウェアを修正あるいは更新することが可能である。従来放送用途に使用されていた周波数帯域の一部が放送用途以外に使用されることになった場合は、その実施時期に合わせて内部ソフトウェアを書き換えることによって、ＣＰＵ７による第二のフィルタ回路３の最適な設定を実現することが可能である。
【００３３】
ＣＰＵ７が第二のフィルタ回路３を制御する際のフローチャートを図５に示す。デジタル放送用受信機８は出荷後通常状態ではソフトウェア１が実装されている。このため状態Ｓ２における判定でソフトウェア１が実装されていることが判定され、状態Ｓ４において第二のフィルタ回路３を無効化するようＣＰＵ７は第二のフィルタ回路３を設定する。しかし、従来放送用途の周波数帯域の一部が放送用途以外に使用されることになった場合、エンジニアリングスロットを用いてデジタル放送用受信機８には適当な時期にソフトウェア２が実装される。このとき状態Ｓ２の判定結果で状態はＳ３に遷移し、第二のフィルタ回路３が有効化されるようＣＰＵ７は第二のフィルタ回路３を設定する。このようにして、実装されているソフトウェアによって第二のフィルタ回路３の有効／無効状態が設定される。
【００３４】
以上説明したように、デジタル放送システムが使用する周波数帯域の一部が放送用用途以外に使用され、その信号が放送システムに対する妨害信号となった場合でも、本発明になる構成をとることにより、第二のフィルタ回路３の機能の有効／無効状態をＣＰＵ７による制御によって効果的に有効化し、デジタル放送用受信装置８としての受信性能を好適に維持することが実現される。
【実施例２】
【００３５】
図２は本発明の実施例２を示すブロック図であって、図１と同様な機能ブロックについては同一の符号を記し、動作の説明は省略する。図１に示す実施例と異なり第二のフィルタ回路３を第二のフィルタ回路３２とし、第一の切替え回路３１と第二の切替え回路３３を備えている。第二のフィルタ回路３２の通過特性は、第一の実施例における第二のフィルタ回路３が有効状態にあったときの通過帯域と同様の特性となるよう構築されている。
【００３６】
実施例２では第二のフィルタ回路３２がＣＰＵ７から直接制御されるわけではなく、ＣＰＵ７は第一、第二の切替え回路３１、３２の切替え状態を制御する構成としている。すなわち、第一の実施例で説明したようにデジタル放送システムが使用する周波数帯域内に放送用途以外の信号が存在していない状態では切替え回路３１、３２は直接接続され第一のフィルタ回路２が出力する受信信号は第二のフィルタ回路３２を介さずにそのままチューナ回路４に供給される。図５に示すフローチャートではソフトウェア１が実装されている状態である。
【００３７】
また、従来放送用途であった周波数帯域の一部が放送用途以外にも使用される状態では、図５に示すフローチャートでソフトウェア２が実装される場合の動作として、切替え回路３１、３３は信号経路が第二のフィルタ回路３２を通過するように設定される。この結果、第一のフィルタ回路２が出力する受信信号は第二のフィルタ回路３２を介してチューナ回路４に供給される。受信信号が第二のチューナ回路３２を経由することにより図４（３）に示した第二のフィルタ回路の通過特性に示すように第一のフィルタ回路２が抑圧できない妨害信号が第二のフィルタ回路３２によって抑圧される。チューナ回路４以降の信号の流れは第一の実施例と同様のため、説明は省略する。
【００３８】
ＣＰＵ７の動作に関して、制御対象が実施例１とは異なるが、切替え回路３１、３３を制御することにより、実施例１と同様の効果を得ることができる。
【００３９】
実施例２によれば第二のフィルタ回路３２は動作状態を制御されることはなく、簡易な構成で構築可能である。なお、第二の切替え回路３３を切替え制御の必要の無い簡易な構成の合成回路とすることで、さらに回路構成の簡略化を測ることも可能である。
【実施例３】
【００４０】
図３は本発明の実施例３を示すブロック図であって、図１、図２と同様な機能ブロックについては同一に符号を記し、動作の説明は省略する。図２に示す実施例と異なり、第一、第二の切替え回路３１、３３はＣＰＵ７から直接制御されるのではなく、ＣＰＵ７がチューナ回路４を制御する動作と合わせて、チューナ回路４が出力する制御信号によって切替え回路が制御される構成としている。このときチューナ回路４が出力する制御信号はＣＰＵ７による制御を受けて第二の実施例と同様の制御が行なわれるため、妨害信号抑圧動作に関しては実施例２と同様である。
【００４１】
本構成によれば、ＣＰＵ７はチューナ回路４に対する設定を行なうのみで良く、制御手順を簡略化することができる。また、ＣＰＵ７に接続される部品が少なくなるため、デジタル放送用受信装置の回路構成の簡略化にも効果がある。また、切替え回路３１、３３とＣＰＵ７との接続がなくなるため、第一のフィルタ回路２からチューナ回路４に至るまでの部品をモジュール化して小型化することができ、デジタル放送用受信装置の小型化および低廉化にも効果がある。
【産業上の利用可能性】
【００４２】
本発明は、家庭用デジタル放送用受信装置、車載用デジタル放送用受信装置、携帯端末用デジタル放送用受信装置などに適用が可能である。
【図面の簡単な説明】
【００４３】
【図１】本発明の実施例１のデジタル放送用受信装置を示した説明図である。
【図２】本発明の実施例２のデジタル放送用受信装置を示した説明図である。
【図３】本発明の実施例３のデジタル放送用受信装置を示した説明図である。
【図４】本発明のフィルタ回路の動作特性の説明図である。
【図５】本発明のフィルタ回路の選択アルゴリズムの説明図である。
【符号の説明】
【００４４】
１    高周波信号入力端子
２    第一のフィルタ回路
３    第二のフィルタ回路
４    チューナ回路
５    信号処理回路
６    映像音声処理回路
７    ＣＰＵ
８    デジタル放送用受信装置
３１    第一の切替え回路
３２    第二のフィルタ回路
３３    第二の切替え回路
【図１】
2007336319.tif 000003
【図２】
2007336319.tif 000004
【図３】
2007336319.tif 000005
【図４】
2007336319.tif 000006
【図５】
2007336319.tif 000007